(57)【特許請求の範囲】
【請求項１】
巻芯に巻きつけられたロールシートを収納する巻取ロールシート用収納体であって、
前記巻取ロールシート用収納体は、紙シートを折り畳み正面部、背面部、底面部、上面部、両側部を有する直方体形状の箱体であって、
前記上面部には、ロールシートの取り出し方向に取り出し口が設けられ、
前記両側部には、巻取ロールシートの巻芯に挿入し、巻取ロールシートを保持する折曲片と、該折曲片を支持する突出片とを有し、
前記折曲片は、前記上面部から延在する上面フラップに巻取ロールシートの支持方向に対し直角方向の折れ目により巻取ロールシート用収納体内方に折曲げられる先端部の幅が小さくなるＶ字形状であり、
前記正面部から延在する正面フラップ及び前記背面部から延在する背面フラップに其々切り込み部を一辺とする三角形状の切欠きを形成し、
前記突出片は、前記正面部から延在する正面フラップ及び前記背面部から延在する背面フラップに其々前記切り込み部を第１辺、前記正面フラップ及び前記背面フラップの側縁を第２辺、突出片用折れ目を第３辺からなる三角形状であり、突出片用折れ目により巻取ロールシート用収納体内方に折曲げられ、
前記折曲片の底部を前記突出片の第１辺で前記巻取ロールシートの支持方向とは逆さ方向に押圧し、前記折曲片の巻取ロールシートの支持方向への垂れ下がりを防止する
ことを特徴とする巻取ロールシート用収納体。
【請求項２】
前記折曲片は、巻取ロールシート用収納体内方に押圧することにより前記上面フラップに形成されたミシン目線を破断させることにより形成される、ことを特徴とする請求項１記載の巻取ロールシート用収納体。
【請求項３】
前記折曲片が、前記底面フラップに形成されたこと、を特徴とする請求項１又は２記載の巻取ロールシート用収納体。
【発明の詳細な説明】
【０００１】
【発明の属する技術分野】
本発明は、巻取ロールシートの収納体に関する。
【０００２】
【従来の技術】
クッキングペーパーやクッキングペーパー等の巻取ロールシートを収納する収納体は、さまざまな形態の提案がなされている。
【０００３】
これらの収納体の問題点としては、ロールシートの残量が少なくなるにつれて、ロール径が減少して巻取ロールシートと収納体との間に大きな隙間が生ずることにより、ロールシートを取り出す際に、巻取ロールシート自体が跳動し、時に、取出口から飛び出してしまうことである。
【０００４】
そこで、この問題を解決するために、従来例としては、巻取ロールシートの巻芯を保持し、巻取ロールシートの跳動や飛び出しを防止する折曲片が設けられた収納体が提案されている（例えば、特許文献１参照）。
【特許文献１】
登録実用新案第３０１０４８３号公報（２，３頁、図１〜図６）
【０００５】
【発明が解決しようとする課題】
しかしながら、上記従来例では、上述した折曲片では、巻取ロールシートの重みにより垂れ下がりやすく、十分に巻取ロールシートを保持できないという虞がある。
【０００６】
そこで、本発明の主たる課題は、ロールシートを取り出す際に、巻取ロールシートの跳動や飛び出しを確実に防止すると共に、巻取ロールシートの重みによる垂れ下がりを防止して、巻取ロールシートを確実に保持する巻取ロールシート用の収納体を提供することにある。
【０００７】
【課題を解決するための手段】
上記課題を解決した本発明は、次のとおりである。
＜請求項１記載の発明＞
請求項１記載の発明は、巻芯に巻きつけられたロールシートを収納する巻取ロールシート用収納体であって、
前記巻取ロールシート用収納体は、紙シートを折り畳み正面部、背面部、底面部、上面部、両側部を有する直方体形状の箱体であって、
前記上面部には、ロールシートの取り出し方向に取り出し口が設けられ、
前記両側部には、巻取ロールシートの巻芯に挿入し、巻取ロールシートを保持する折曲片と、該折曲片を支持する突出片とを有し、
前記折曲片は、前記上面部から延在する上面フラップに巻取ロールシートの支持方向に対し直角方向の折れ目により巻取ロールシート用収納体内方に折曲げられる先端部の幅が小さくなるＶ字形状であり、
前記正面部から延在する正面フラップ及び前記背面部から延在する背面フラップに其々切り込み部を一辺とする三角形状の切欠きを形成し、
前記突出片は、前記正面部から延在する正面フラップ及び前記背面部から延在する背面フラップに其々前記切り込み部を第１辺、前記正面フラップ及び前記背面フラップの側縁を第２辺、突出片用折れ目を第３辺からなる三角形状であり、突出片用折れ目により巻取ロールシート用収納体内方に折曲げられ、
前記折曲片の底部を前記突出片の第１辺で前記巻取ロールシートの支持方向とは逆さ方向に押圧し、前記折曲片の巻取ロールシートの支持方向への垂れ下がりを防止する
ことを特徴とする巻取ロールシート用収納体。
【０００８】
（作用効果）
請求項１に係る発明では、先端部の幅が小さくなるＶ字形状の折曲片が巻取ロールシートの巻芯に挿入されていることから、巻取ロールシートを保持することができると共に、ロールシートを小出しに取り出す際に、巻取ロールシートの跳動や飛び出しを防止することができる。
【０００９】
折曲片の底部が突出片の第１辺に係合されていることから、巻取ロールシートの重みに耐え、折曲片の垂れ下がり少なく、十分に巻取ロールシートを保持することが可能でありロールシートを小出しに取り出す際に、巻取ロールシートの跳動や飛び出しを確実に防止することができる。
【００１０】
さらに、折曲片の底部を突出片の第１辺でロールシートの支持方向とは逆さ方向に押圧することにより、巻取ロールシートの重みに十分耐えることができ、折曲片が垂れ下がりをさらに防止し、確実に巻取ロールシートを保持することができ、ロールシートを小出しに取り出す際に、巻取ロールシートの跳動や飛び出しをより防止することができる。
【００１１】
突出片は、正面部から延在する正面フラップ及び背面部から延在する背面フラップに其々切り込み部を一辺とする三角形状の切欠きを形成し、切り込み部を第１辺、正面フラップ及び背面フラップの側縁を第２辺、突出片用折れ目を第３辺からなる三角形状でありことから、折曲片を巻取ロールシートの巻芯に折込み易くすることができる。
【００１２】
さらに、一般的な巻取ロールシート用収納体と略同じ製造コストで、上記効果を実現できる。
【００１５】
＜請求項２記載の発明＞
請求項２記載の発明は、前記折曲片は、巻取ロールシート用収納体内方に押圧することにより前記上面フラップに形成されたミシン目線を破断させることにより形成される、ことを特徴とする請求項１記載の巻取ロールシート用収納体である。
【００１６】
（作用効果）
請求項２に係る発明では、上面フラップに形成されたミシン目線を破断させることにより折曲片を形成することから、指で押し込む操作により折曲片を容易に形成することができる。
【００１７】
＜請求項３記載の発明＞
請求項３記載の発明は、前記折曲片が、前記底面フラップに形成されたこと、を特徴とする請求項１又は２記載の巻取ロールシート用収納体である。
【００１８】
（作用効果）
請求項３に係る発明では、折曲片が底面フラップに形成されていることから、上面フラップの長さを短くすることができ、製造コストを低く抑えることができる。
【００１９】
【発明の実施の形態】
＜第１の実施の形態＞
以下、本発明の実施の形態を、図１〜図５に示す一実施例に基づいて、説明する。
（巻取ロール紙用収納体の構成について）
図１は、本発明に係る巻取ロールシート用収納体の一実施例の展開図を示している。すなわち、巻取ロールシート用収納体１は、板紙などの紙シート等からなるシールエンドカートンにより形成される、直方体の箱体から構成されている。
【００２０】
ここで、正面部４、背面部２、上面部３、底面部５は、図１に示すように、連続して取付けられている。また、底面部５には、箱体の組み立ての際に、背面部２の裏面の端部と接着するための接着しろ６が取付けられている。なお、図１の点線で示す部分は、折れ線を示しており、当該点線を山折りにして、箱体を組み立てていくものである。
【００２１】
また、正面部４、背面部２、上面部３、底面部５のそれぞれの両短辺側からは、正面フラップ９ａ，９ｂ、背面フラップ７ａ，７ｂ、底面フラップ１０ａ，１０ｂ、上面フラップ８ａ，８ｂが、延在している。
【００２２】
側面部３２ａ，３２ｂの組み立てについては、図２、図３、図５に示すように、まず正面フラップ９ａ，９ｂ及び背面フラップ７ａ，７ｂを折れ線を介して巻取ロールシート用収納体１の内部に折り畳む。その後、底面フラップ１０ａ，１０ｂを同様に折れ線を介して巻取ロールシート用収納体１の内部に折り畳み、正面フラップ９ａ，９ｂ及び背面フラップ７ａ，７ｂのそれぞれの下部を覆うように折り畳む。最後に、上面フラップ８ａ，８ｂを折れ線を介して巻取ロールシート用収納体１の内部に折り畳み、正面フラップ９ａ，９ｂ及び背面フラップ７ａ，７ｂのそれぞれの上部、及び底面フラップ１０ａ，１０ｂの上部を覆うように折り畳めばよい。
【００２３】
図１、図２に示すように、ロールシートの取り出し方向である、巻取ロールシート用収納体１の上面部３と正面部４とに跨ってミシン目線１３が付されており、このミシン目線１３を押圧し破断することにより、舌片１１が形成される。この舌片１１は、その内部に収納される巻芯に巻きつけられたロールシートの取り出し口１２の蓋として機能する。そして、図５に示すように、舌片１１を開くことにより、この取り出し口１２を介して、ロールシート１４を小出しに取り出すことができるようになっている。
【００２４】
図１に示すように、上面フラップ８ａ，８ｂの端縁部には、ミシン目線や切り取り線等からなる破断線部１５ａ，１６ａ；１５ｂ，１６ｂが形成されている。これら破断線部１５ａ，１６ａ；１５ｂ，１６ｂは、それぞれ上面フラップの側縁１９ａ，１９ｂを始点としており、破断線部１５ａ，１６ａ；１５ｂ，１６ｂは略平行若しくは上面部３に向かって略Ｖ字状に広がっている。
【００２５】
そして、図２〜図４に示すように、破断線部１５ａ，１６ａ；１５ｂ，１６ｂを巻取ロールシート用収納体１の内部に折り曲げ破断させ、これら破断線部１５ａ，１６ａ；１５ｂ，１６ｂのそれぞれの終点を結ぶ線を折れ目１７ａ，１７ｂとすることにより折曲片１８ａ，１８ｂが形成される。
【００２６】
次に、突出片２４ａ，２５ａ；２４ｂ，２５ｂについて説明するが、突出片２４ｂ，２５ｂについては、突出片２４ａ，２５ａと対称なため、図示及び説明を省略し、突出片２４ａ，２５ａの説明のみを行うこととする。
【００２７】
正面フラップ９ａ及び背面フラップ７ａのそれぞれの側縁２０ａ，２１ａには、これら正面フラップ９ａ及び背面フラップ７ａを上面フラップ８ａが覆った状態で、側面部３２ａの高さ位置においては上面フラップ８ａの側縁１９ａよりも上方でかつ折れ目１７ａよりも下方の範囲で、側縁２０ａ，２１ａを始点とした切り込み部２２ａ，２３ａが形成されている。
【００２８】
ここで、これら切り込み部２２ａ，２３ａの形成に伴って、これら切り込み部２２ａ，２３ａを一辺とした略三角形状の切欠き２６ａ，２７ａが形成されている。
【００２９】
図３に示すように、突出片２４ａ，２５ａは、略三角形状に構成され、切り込み部２２ａ，２３ａを第１辺、側縁２０ａ，２１ａの所定の部分を第２辺、折れ目２８ａ，２９ａを第３辺としており、折曲片１８ａの折れ曲げにより押圧されて巻取ロールシート用収納体１の内部に突出させることにより形成される。
【００３０】
次に、切欠き３１ａ，３１ｂについて説明するが、突出片２４ａ，２５ａ；２４ｂ，２５ｂの説明と同様の理由で、切欠き３１ａのみの説明を行う。
【００３１】
上面フラップ８ａが、底面フラップ１０ａの上部を覆っているので、折曲片１８ａが巻取ロールシート用収納体１の内部に折り曲げられる際の障害とならないようにするため、切欠き３１ａは、底面フラップ１０ａの一部を折曲片１８ａと略同形状に切欠いて形成されるものである。なお、切欠き３１ａの機能としては、折曲片１８ａが巻取ロールシート用収納体１の内部に折り曲げられる際の障害とならないようにするためのものであるから、必ずしも折曲片１８ａと略同形状であったり、同面積である必要はなく、例えば、任意の形状及び面積で、底面フラップ１０ａの一部を切欠いておけばよい。また、切欠き以外に、ミシン目線により破断するようにしてもよい。底面フラップ１０ａが折曲片１８ａの折れ曲げの際の障害とならない場合は、この切欠きは必要ない。
【００３２】
（折曲片と突出片について）
巻取ロールシート用収納体１の側面部３２ａ，３２ｂは対称であることより、側面部３２ａに形成される折曲片１８ａ及び突出片２４ａ，２５ａについて説明する。
【００３３】
ミシン目線や切り取り線等からなる破断線部１５ａ，１６ａを、巻取ロールシート用収納体１の内部に折り曲げ破断させ、これら破断線部１５ａ，１６ａのそれぞれの終点を結ぶ線を折れ目１７ａ，１７ｂとして、図５に示すように、折り込むことによって、折曲片１８ａが形成される。折曲片１８ａが、図３に示すように、折り込まれる際に、切り込み部２２ａ，２３ａを第１辺、端縁２０ａ，２１ａの所定の部分を第２辺、折れ目２８ａ，２９ａを第３辺とした略三角形状に構成されたそれぞれの片が、巻取ロールシート用収納体１の内部に向かって突出し、突出片２４ａ，２５ａが形成される。
【００３４】
ここで、図４に示すように、正面フラップ９ａ及び背面フラップ７ａのそれぞれの側縁２０ａ，２１ａには、これら正面フラップ９ａ及び背面フラップ７ａを上面フラップ８ａが覆った状態で、上面フラップ８ａの側縁１９ａよりも上方でかつ折れ目１７ａよりも下方の範囲で、側縁２０ａ，２１ａを始点とした切り込み部２２ａ，２３ａが形成されているため、これら切り込み部２２ａ，２３ａの下端縁、すなわち突出片２４ａ，２５ａの上端によって、折り込まれた折曲片１８ａ底部が支持されることにより、折曲片１８ａの折り戻りが防止される。
【００３５】
また、図３に示すように、切り込み部２２ａ，２３ａを一辺とした略三角形状の切欠き２６ａ，２７ａが形成されているため、折曲片１８ａを巻取ロールシート用収納体１の内部に折り込み易くしており、さらに、折曲片１８ａを切り込み部２２ａ，２３ａの下端縁、すなわち突出片２４ａ，２５ａの上端での支持を容易にしている。しかしながら、切り込み部２２ａ，２３ａさえあれば、突出片２４ａ，２５ａは形成されるので、必ずしも切欠き２６ａ，２７ａを設ける必要はない。
【００３６】
次に、ロールシート１４が巻き取られている巻芯３３との関係についてであるが、図５に示すように、折曲片１８ａ，１８ｂが、ロールシート１４の巻芯３３の軸方向における巻取ロールシート用収納体１の内部に折り曲げられて、巻芯３３の内部に挿入され、巻芯３３を保持する。そして、ロールシート１４の重みによる折曲片１８ａ，１８ｂの垂れ下がりについては、折曲片１８ａ，１８ｂの底部を突出片２４ａ，２５ａ；２４ｂ，２５ｂの上端で支持していることにより、防止される。
【００３７】
したがって、切り込み部２２ａ，２３ａ；２２ｂ，２３ｂの下端縁、すなわち突出片２４ａ，２５ａ；２４ｂ，２５ｂの上端が折曲片１８ａ，１８ｂの底部を支持し、垂れ下がりを防ぐため、ロールシート１４の重みにより折曲片１８ａ，１８ｂが垂れ下がることがなく、十分にロールシート１４を保持することができると共に、ロールシート１４を小出しに取り出す際に、ロールシート１４の跳動や飛び出しを確実に防止することができる。さらに、一般的な巻取ロールシート用収納体と略同じ製造コストで、上記効果を実現できる。
【００３８】
なお、巻取ロールシート用収納体１の材質としては、板紙などの紙シートに限られるものではなく、プラスチックなどの硬質樹脂等でもよい。また、巻取ロールシート用収納体１は、一枚のシートに展開可能なシールエンドカートンに限られるものでなく、図示はしないが、箱体として一体成形されたものでもよい。
【００３９】
＜第２の実施の形態＞
図６に基づき、第２の実施の形態の構成について説明する。
第２の実施の形態の構成として、第１の実施の形態との相違点は、破断線部３４ａ，３４ｂは、上面フラップ８ａ、８ｂの側縁１９ａ，１９ｂを始点としていないことである。そのため、折曲片３８ａ，３８ｂは図６に示すように、略半円状でもよく、また図示はしないが略台形状でも任意の形状を採ることが可能である。
【００４０】
また、破断線部３４ａ，３４ｂの一方の端点３５ａと他方の端点３６ａとを結ぶ線が折れ目１７ａとなることから、突出片２４ａ，２５ａ；２４ｂ，２５ｂを形成するために、側面部３２ａ、３２ｂの高さ位置においては折曲片３８ａ，３８ｂの先端部３７ａ，３７ｂの折れ曲げ前の位置よりも上方でかつ折れ目１７ａ，１７ｂよりも下方の範囲で、側縁２０ａ，２０ｂ；２１ａ，２１ｂを始点とした切り込み部２２ａ，２２ｂ；２３ａ，２３ｂを形成すればよい。
【００４１】
さらに、切欠き３９ａ，３９ｂは、折曲片３８ａ，３８ｂの折れ曲がりの際の障害とならないように加工しておけばよい。
【００４２】
その他の点については、図１〜図５に基づく第１の実施の形態と同様なので、詳細な説明は省略する。
【００４３】
＜第３の実施の形態＞
図７に基づき、第３の実施の形態の構成について説明する。
第３の実施の形態の構成として、第１の実施の形態との相違点は、底面フラップ１０ａ，１０ｂに折曲片３８ａ，３８を形成したことである。そのため、上面フラップ８ａ、８ｂは、図７で示すように、第１の実施の形態に比べて短くなっている。
【００４４】
また、第２の実施の形態と同様に、折曲片３８ａ，３８ｂは図７に示すように、略半円状でもよく、また図示はしないが略台形状でも任意の形状を採ることが可能である。
【００４５】
また、破断線部３４ａ，３４ｂの一方の端点３５ａと他方の端点３６ａとを結ぶ線が折れ目１７ａとなることから、突出片２４ａ，２５ａ；２４ｂ，２５ｂを形成するために、側面部３２ａ、３２ｂの高さ位置においては折曲片３８ａ，３８ｂの先端部３７ａ，３７ｂの折れ曲げ前の位置よりも上方でかつ折れ目１７ａ，１７ｂよりも下方の範囲で、側縁２０ａ，２０ｂ；２１ａ，２１ｂを始点とした切り込み部２２ａ，２２ｂ；２３ａ，２３ｂを形成すればよい。
【００４６】
その他の点については、図１〜図５に基づく第１の実施の形態、及び図６に基づく第２の実施の形態と同様なので、詳細な説明は省略する。
【００４７】
＜第１の参考例の形態＞
図８、図９に基づき、第１の参考例の形態の構成について説明する。
第１の参考例の形態の構成としては、側面部３２ａ，３２ｂの上面フラップ８ａ，８ｂの側縁部に折曲片５２ａ，５２ｂ；５３ａ，５３ｂを形成し、正面フラップ９ａ，９ｂ及び背面フラップ７ａ，７ｂにそれぞれ切欠き６２ａ，６２ｂ；６３ａ，６４ｂを形成している。以下では、巻取ロールシート用収納体１の側面部３２ａ，３２ｂは対称であることより、側面部３２ａに形成される折曲片５２ａ，５３ａについて、図８の点線で囲んだ部分を拡大した部分拡大図に基づき説明する。
【００４８】
破断線部５４ａ，５５ａの一方の端点５８ａ，５９ａと他方の端点６０ａ，６１ａを結ぶ線、言い換えると巻取ロールシート用収納体１のロールシート１４の巻芯３３の支持方向に、折れ目５６ａ，５７ａが形成されている。この破断線部５４ａ，５５ａを巻取ロールシート用収納体１の内部に折り曲げ破断させ、これら破断線部５４ａ，５５ａの一方の端点５８ａ，５９ａと他方の端点６０ａ，６１ａを結ぶ線を折れ目５６ａ，５７ａとして、折り込むことによって、折曲片５２ａ，５３ａが形成される。この折曲片５２ａ，５３ａは、図９に示すように、ロールシート１４の巻芯３３の軸方向における巻取ロールシート用収納体１の内部に折り曲げられて巻芯３３の内部に挿入され、巻芯３３を保持する。
【００４９】
図８では、折曲片５２ａ，５３ａは、略半円若しくは略半トラック形状であるが、この形状に換えて、略三角形状や略四角形状、その他多角形状をとってもよい。
【００５０】
折れ目５６ａと折れ目５７ａとの間隔については、垂直方向の荷重に対する折曲片５２ａ，５３ａの強度の観点から、筒状の巻芯３３の内部に挿入できる範囲で、広くすることが好ましい。
【００５１】
また、切欠き６２ａ，６３ａは、折曲片５２ａ，５３ａの折れ曲がりの際の障害とならないように加工しておけばよい。図８では、折曲片５２ａ，５３ａと略同形状に切欠かれている。
【００５２】
さらに、図示はしないが、これらの折曲片を底面フラップ１０ａ，１０ｂに形成してもよい。
【００５３】
その他の点については、図１〜図５に基づく第１の実施の形態、図６に基づく第２の実施の形態、図７に基づく第３の実施の形態と同様なので、詳細な説明は省略する。
【００５４】
第１の参考例の形態では、図９に示すように、巻取ロールシート用収納体１のロールシート１４の巻芯３３の支持方向に折れ目５６ａ，５７ａを形成していることにより、水平方向に折れ目を形成した折曲片に比べて、垂直方向の荷重に対して強度が強くなるので、ロールシートの重みに耐えやすいため、折曲片が垂れ下がり難く、十分にロールシートを保持することが可能である。また、折曲片を２片設けたことにより、ロールシートの保持を確実にしている。
【００５５】
＜第２の参考例の形態＞
図１０に基づき、第２の参考例の形態の構成について説明する。
第２の参考例の形態の構成としては、側面部３２ａ，３２ｂ（図１０では図示せず）の上面フラップ８ａ，８ｂの側縁部に折曲片４０ａ，４０ｂ；４１ａ，４１ｂを形成し、正面フラップ９ａ，９ｂ及び背面フラップ７ａ，７ｂにそれぞれ切欠き５０ａ，５０ｂ；５１ａ，５１ｂを形成している。以下では、巻取ロールシート用収納体１の側面部３２ａ，３２ｂは対称であることより、側面部３２ａに形成される折曲片４０ａ，４１ａについて、図１０の点線で囲んだ部分を拡大した部分拡大図に基づき説明する。
【００５６】
破断線部４２ａ，４３ａの一方の端点４６ａ，４７ａと他方の端点４８ａ，４９ａを結ぶ線、言い換えると巻取ロールシート用収納体１のロールシート１４の巻芯３３の支持方向に、折れ目４４ａ，４５ａが形成されている。この破断線部４２ａ，４３ａを巻取ロールシート用収納体１の内部に折り曲げ破断させ、これら破断線部４２ａ，４３ａの一方の端点４６ａ，４７ａと他方の端点４８ａ，４９ａを結ぶ線を折れ目４４ａ，４５ａとして、折り込むことによって、折曲片４０ａ，４１ａが形成される。この折曲片４０ａ，４１ａは、ロールシート１４の巻芯３３の軸方向における巻取ロールシート用収納体１の内部に折り曲げられて巻芯３３の内部に挿入され、巻芯３３を保持する。
【００５７】
図１０では、折曲片４０ａ，４１ａは、巻芯３３を保持し上面フラップ８ａの短辺と略平行な上端辺と、円弧辺を有する、円が略４分割された形状であるが、この形状に換えて、略三角形状や略四角形状、その他多角形状をとってもよい。
【００５８】
折れ目４４ａと折れ目４５ａとの間隔については、垂直方向の荷重に対する折曲片４０ａ，４１ａの強度の観点から、筒状の巻芯３３の内部に挿入できる範囲で、広くすることが好ましい。
【００５９】
また、切欠き５０ａ，５１ａは、折曲片４０ａ，４１ａの折れ曲がりの際の障害とならないように加工しておけばよい。図１０では、折曲片４０ａ，４１ａと略同形状に切欠かれている。
【００６０】
さらに、図示はしないが、これらの折曲片を底面フラップ１０ａ，１０ｂに形成してもよい。
【００６１】
その他の点については、図１〜図５に基づく第１の実施の形態、図６に基づく第２の実施の形態、図７に基づく第３の実施の形態、図８，図９に基づく第１の参考例の形態と同様なので、詳細な説明は省略する。
【００６２】
第２の参考例の形態では、巻取ロールシート用収納体１のロールシート１４の巻芯３３の支持方向に折れ目４４ａ，４５ａを形成していることにより、水平方向に折れ目を形成した折曲片に比べて、垂直方向の荷重に対して強度が強くなるので、ロールシートの重みに耐えやすいため、折曲片が垂れ下がり難く、十分にロールシートを保持することが可能である。また、折曲片を２片設けたことにより、ロールシートの保持を確実にしている。
【００６３】
【発明の効果】
以上のとおり、本発明によれば、折曲片が巻取ロールシートの巻芯に挿入されていることから、巻取ロールシートを保持することができると共に、ロールシートを小出しに取り出す際に、巻取ロールシートの跳動や飛び出しを防止することができる。
【００６４】
また、折曲片の底部が突出片に押圧されていることから、巻取ロールシートの重みに耐え、折曲片の垂れ下がり少なく、十分に巻取ロールシートを保持することが可能でありロールシートを小出しに取り出す際に、巻取ロールシートの跳動や飛び出しを確実に防止することができ、さらに、折曲片の折り戻りを防止することができる。
【００６５】
さらに、突出片は、切り込み部を一辺とする三角形状の切欠きを形成し、切り込み部を有する三角形状でありことから、折曲片を巻取ロールシートの巻芯に折込み易くすることができる。
【図面の簡単な説明】
【図１】  本発明に係る巻取ロールシート用収納体の第１の実施の形態の展開図である。
【図２】  本発明に係る巻取ロールシート用収納体の第１の実施の形態における、側面部の形成途中の斜視図である。
【図３】  本発明に係る巻取ロールシート用収納体の第１の実施の形態における、折曲片と突出片を外部から見た部分拡大斜視図である。
【図４】  本発明に係る巻取ロールシート用収納体の第１の実施の形態において、折曲片と突出片を内部から見た部分拡大斜視図である。
【図５】  本発明に係る巻取ロールシート用収納体の第１の実施の形態において、内部に巻取ロール紙を収納した状態を示す巻取ロールシート用収納体の斜視図である。
【図６】  本発明に係る巻取ロールシート用収納体の第２の実施の形態の展開図である。
【図７】  本発明に係る巻取ロールシート用収納体の第３の実施の形態の展開図である。
【図８】  本発明に係る巻取ロールシート用収納体の第１の参考例の形態の展開図である。
【図９】  本発明に係る巻取ロールシート用収納体の第１の参考例の形態において、折曲片を内部から見た部分拡大斜視図である。
【図１０】  本発明に係る巻取ロールシート用収納体の第２の参考例の形態の展開図である。
【符号の説明】
１…巻取ロールシート用収納体、２…背面部、３…上面部、４…正面部、５…底面部、６…接着しろ、７ａ，７ｂ…背面フラップ、８ａ，８ｂ…上面フラップ、９ａ，９ｂ…正面フラップ、１０ａ，１０ｂ…底面フラップ、１１…舌片、１２…取り出し口、１３…ミシン目線、１４…ロールシート、１５ａ，１５ｂ；１６ａ，１６ｂ…破断線部、１７ａ，１７ｂ…折れ目、１８ａ，１８ｂ…折曲片、１９ａ，１９ｂ；２０ａ，２０ｂ；２１ａ，２１ｂ；３０ａ，３０ｂ…側縁、２２ａ，２２ｂ；２３ａ，２３ｂ…切り込み部、２４ａ，２４ｂ；２５ａ，２５ｂ…突出片、２６ａ，２６ｂ；２７ａ，２７ｂ…切欠き、２８ａ，２８ｂ；２９ａ，２９ｂ…折れ目、３１ａ，３１ｂ…切欠き、３２ａ，３２ｂ…側面部、３３…巻芯、３４ａ，３４ｂ…破断線部、３５ａ，３５ｂ；３６ａ，３６ｂ…破断線部の端点、３７ａ，３７ｂ…折曲片の先端部、３８ａ，３８ｂ…折曲片、３９ａ，３９ｂ…切欠き、４０ａ，４０ｂ；４１ａ，４１ｂ…折曲片、４２ａ，４３ａ…破断線部、４４ａ，４５ａ…折れ目、４６ａ，４７ａ；４８ａ，４９ａ…破断線部の端点、５０ａ，５０ｂ；５１ａ，５１ｂ…切欠き、５２ａ，５２ｂ；５３ａ，５３ｂ…折曲片、５４ａ，５５ａ…破断線部、５６ａ，５７ａ…折れ目、５８ａ，５９ａ；６０ａ，６１ａ…破断線部の端点、６２ａ，６３ａ；６２ｂ，６３ｂ…切欠き。
【図１】
0004236501.tif 000002
【図２】
0004236501.tif 000003
【図３】
0004236501.tif 000004
【図４】
0004236501.tif 000005
【図５】
0004236501.tif 000006
【図６】
0004236501.tif 000007
【図７】
0004236501.tif 000008
【図８】
0004236501.tif 000009
【図９】
0004236501.tif 000010
【図１０】
0004236501.tif 000011